(57)【特許請求の範囲】
【請求項１】
液透過性の表面層、液不透過性の裏面層及び該表面層及び該裏面層の間に配置される吸収体を備えると共に、互いに対向する第１端部及び第２端部と、該第１端部及び該第２端部に直交し互いに対向する一対の側部と、を有して矩形形状に構成され、ペットの胴回りに巻きつけられた状態で、前記第１端部の前記表面層側がペットの身体側に対向して配置されると共に、前記第２端部の前記表面層側が前記第１端部の前記裏面層側に着脱可能に取り付けられるペット用吸収性物品であって、
前記第１端部の前記裏面層側に配置されて矩形形状に構成されると共に、長手方向が前記ペット用吸収性物品の幅方向に沿って延びる係止部材と、
前記第１端部に折り癖をつけることで形成され、該第１端部における前記一対の側部側が表面層側に屈曲する際の起点となる一対の折線部と、を備えるペット用吸収性物品。
【請求項２】
前記一対の折線部は、前記係止部材に形成され、前記ペット用吸収性物品の長手方向に沿って延びる請求項１に記載のペット用吸収性物品。
【請求項３】
前記一対の折線部間の長さは、前記吸収体の幅以上に構成される請求項１又は２に記載のペット用吸収性物品。
【請求項４】
前記ペット用吸収性物品の長手方向に沿う一対の側部における前記表面層の外面側にそれぞれ配置されると共に、外側縁が前記表面層又は前記裏面層に接合され内側縁の少なくとも一部が自由端となった一対のサイドシートと、
前記一対のサイドシートそれぞれの内側縁近傍に伸長状態で配置される一対の第１弾性部材と、
前記一対のサイドシートの内面と前記表面層の外面との間に形成される一対のポケット部と、を更に備える請求項１〜３のいずれかに記載のペット用吸収性物品。
【請求項５】
前記一対の側部それぞれに伸長状態で配置される一対の第２弾性部材を更に備える請求項１〜４のいずれかに記載のペット用吸収性物品。
【請求項６】
前記係止部材は、前記第１端部の側縁から所定の距離内側に離間した位置に取り付けられる請求項１〜５のいずれかに記載のペット用吸収性物品。
【請求項７】
前記第１端部に配置される矩形形状の基材を更に備え、前記一対の折線部は、前記基材に形成される請求項１〜６のいずれかに記載のペット用吸収性物品。
【請求項８】
前記係止部材を長手方向に曲げる場合における曲げ剛性は、Ｌ  １０８４（フロック加工生地試験方法）に規定されている剛軟度Ａ法（４５度カンチレバー法）により測定した剛軟度が６０ｍｍ〜２００ｍｍである請求項１〜７のいずれかに記載のペット用吸収性物品。
【発明の詳細な説明】
【技術分野】
【０００１】
本発明は、犬やネコ等のペットの胴回りに巻きつけて用いられるペット用吸収性物品に関する。
【背景技術】
【０００２】
従来、犬やネコ等のペットに用いられるペット用使い捨ておむつが提案されている。このようなペット用使い捨ておむつは、装着状態において、ペットの肛門部及び後足の付け根間に位置する尿道口を覆うことで、ペットの糞及び尿を捕捉している。
【０００３】
ところで、ペットの種類（例えば、胴長短足犬であるミニチュアダックスフンド）によっては、尿道口の位置が後足の付け根間よりも前方に位置する場合がある。また、雄犬は、雌犬に比して、尿道口が前方に位置する。このように、尿道口が後足の付け根間よりも前方に位置するペットに、ペット用使い捨ておむつを装着した場合には、おむつから尿道口が露出してしまい、ペットの尿がもれてしまう場合があった。
そこで、帯状に構成され、ペットの胴回り部に巻きつけて装着されるペット用吸収性物品が提案されている（例えば、特許文献１参照）。
このような、帯状に構成されたペット用吸収性物品によれば、尿道口の位置にかかわらず、確実に尿道口を覆って装着させられる。
【先行技術文献】
【特許文献】
【０００４】
【特許文献１】特開２００７−２０５３３号公報
【発明の概要】
【発明が解決しようとする課題】
【０００５】
特許文献１で提案されたような、胴回りに巻きつけて用いられるペット用吸収性物品は、例えば、以下の手順でペットに装着される。
まず、ペット用吸収性物品の長手方向の一端側に位置する第１端部領域をペットの背中に位置させて、この第１端部領域を装着者の片方の手で押さえることで、第１端部領域をペットの背中に沿わせる。次いで、第１端部領域を一方の手で押さえたまま、ペット用吸収性物品の他端側に位置する第２端部領域を他方の手で持って、ペット用吸収性物品がペットの腹側を覆うように巻きつける。次いで、ペット用吸収性物品の第２端部領域を引っ張って、ペット用吸収性物品の長手方向に沿う側部と、ペットの胴回りとを密着させ、この状態で、ペット用吸収性物品の第２端部領域の内面を第１端部領域の外面に係合させる。これにより、ペット用吸収性物品がペットの胴回りに好適に巻きつけられた状態が保持される。
【０００６】
ここで、ペット用吸収性物品における第１端部領域と第２端部領域とは、第１端部領域の外面に配置されたフック部材を第２端部領域の内面に設けられたループ部材に係合させたり、第１端部領域の外面に粘着テープを配置して、この粘着テープに第２端部領域の内面を粘着させたりすることで係合される。
しかしながら、ペット用吸収性物品の第１端部領域の外面に、フック部材や粘着テープを配置した場合には、上述のように、第１端部領域をペットの背中に沿わせるように片方の手で押さえている状態でペットが動くと、ペットの体毛がフック部材や粘着剤にからみついてしまう場合があった。そして、ペットの体毛がフック部材や粘着テープにからみつくと、ペット用吸収性物品の第１端部領域と第２端部領域との係合力が弱くなってしまう。また、ペットの体毛を傷めてしまう。
【０００７】
従って、本発明は、装着時にペットの体毛がからみつくことを低減できるペット用吸収性物品を提供することを目的とする。
【課題を解決するための手段】
【０００８】
本発明は、液透過性の表面層、液不透過性の裏面層及び該表面層及び該裏面層の間に配置される吸収体を備えると共に、互いに対向する第１端部及び第２端部と、該第１端部及び該第２端部に直交し互いに対向する一対の側部と、を有して矩形形状に構成され、ペットの胴回りに巻きつけられた状態で、前記第１端部の前記表面層側がペットの身体側に対向して配置されると共に、前記第２端部の前記表面層側が前記第１端部の前記裏面層側に着脱可能に取り付けられるペット用吸収性物品であって、前記第１端部の前記裏面層側に配置されて矩形形状に構成されると共に、長手方向が前記ペット用吸収性物品の幅方向に沿って延びる係止部材と、前記第１端部に形成され、該第１端部における前記一対の側部側が表面層側に屈曲する起点となる一対の折線部と、を備えるペット用吸収性物品に関する。
【０００９】
また、前記一対の折線部は、前記係止部材に形成され、前記ペット用吸収性物品の長手方向に沿って延びることが好ましい。
【００１０】
また、前記一対の折線部間の長さは、前記吸収体の幅以上に構成されることが好ましい。
【００１１】
また、ペット用吸収性物品前記ペット用吸収性物品の長手方向に沿う一対の側部における前記表面層の外面側にそれぞれ配置されると共に、外側縁が前記表面層又は前記裏面層に接合され内側縁の少なくとも一部が自由端となった一対のサイドシートと、前記一対のサイドシートそれぞれの内側縁近傍に伸長状態で配置される一対の第１弾性部材と、前記一対のサイドシートの内面と前記表面層の外面との間に形成される一対のポケット部と、を更に備えることが好ましい。
【００１２】
また、ペット用吸収性物品は、前記一対の側部それぞれに伸長状態で配置される一対の第２弾性部材を更に備えることが好ましい。
【００１３】
また、前記係止部材は、前記第１端部の側縁から所定の距離内側に離間した位置に取り付けられることが好ましい。
【００１４】
また、前記第１端部に配置される矩形形状の基材を更に備え、前記一対の折線部は、前記基材に形成されることが好ましい。
【００１５】
また、前記係止部材を長手方向に曲げる場合における曲げ剛性は、Ｌ  １０８４（フロック加工生地試験方法）に規定されている剛軟度Ａ法（４５度カンチレバー法）により測定した剛軟度が６０ｍｍ〜２００ｍｍであることが好ましい。
【発明の効果】
【００１６】
本発明のペット用吸収性物品によれば、装着時にペットの体毛がからみつくことを低減できる。
【図面の簡単な説明】
【００１７】
【図１】本発明の第１実施形態に係るペット用吸収性物品を示す斜視図である。
【図２】第１実施形態のペット用吸収性物品を表面層側から視た平面図である。
【図３】第１実施形態のペット用吸収性物品を裏面層側から視た平面図である。
【図４】図２のＡ−Ａ線断面図である。
【図５】図１のＢ−Ｂ線断面図である。
【図６】図２のＣ−Ｃ線断面図である。
【図７】第１実施形態のペット用吸収性物品をペットに装着する過程を示す図であり、第１端部領域をペットの背中に位置させた状態を示す図である。
【図８】ペット用吸収性物品をペットの胴回りに装着した状態を示す図である。
【図９】図７に示す状態を、ペットの側部から視た図である。
【図１０Ａ】本発明の第２実施形態に係るペット用吸収性物品を表面層側から視た平面図である。
【図１０Ｂ】図１０ＡのＤ−Ｄ線断面図である。
【図１１Ａ】本発明の第３実施形態に係るペット用吸収性物品を表面層側から視た平面図である。
【図１１Ｂ】図１１ＡのＥ−Ｅ線断面図である。
【発明を実施するための形態】
【００１８】
以下、本発明のペット用吸収性物品の好ましい各実施形態について、図面を参照しながら説明する。
まず、第１実施形態のペット用吸収性物品について、図１〜図６を参照しながら説明する。
第１実施形態のペット用吸収性物品１は、図１及び図２に示すように、互いに対向する第１端部１１及び第２端部１２と、これら第１端部１１及び第２端部１２に直交し互いに対向する一対の側部１７と、を有して矩形形状に構成され、ペットの胴回り部に巻きつけて装着される。このペット用吸収性物品１は、尿道口が後足の付け根間よりも前方に位置するペット（例えば、ミニチュアダックスフンド等の胴長短足犬）に特に好適に用いられる。
【００１９】
ペット用吸収性物品１は、図１〜図６に示すように、液透過性の表面層を構成する表面シート２と、液不透過性の裏面層３を構成する裏面シート３１及び防水シート３２と、吸収体４と、一対のサイドシート５１，５２と、弾性部材としての第１弾性部材６１及び第２弾性部材６２と、係止部材としてのフックテープ７と、フックテープ７に形成された一対の折線部８と、を備える。
【００２０】
表面シート２は、矩形形状に構成される。この表面シート２は、主として、装着対象のペットの身体に当接する側の面を構成する。表面シート２としては、有孔又は無孔の不織布や多孔性プラスティックシートを用いることができる。第１実施形態では、表面シート２は、後述するフック部７２が係合可能な不織布により構成される。
【００２１】
裏面シート３１は、図４〜図６に示すように、表面シート２よりも幅広で、表面シート２と略等しい長さの矩形形状に構成される。裏面シート３１は、ペット用吸収性物品１の反身体側の面を構成する。
防水シート３２は、裏面シート３１よりも幅狭、かつ、表面シート２よりも幅広に構成され、裏面シート３１における表面シート２側の面に配置される。
裏面シート３１及び防水シート３２としては、疎水性の不織布、不透水性のプラスティックフィルム、不織布と不透水性プラスティックフィルムとのラミネートシート、耐水性の高いメルトブローン不織布を強度の強いスパンボンド不織布で挟んだＳＭＳ不織布等を用いることができる。
【００２２】
吸収体４は、図４に示すように、重ね合わせられた表面シート２及び裏面層３の間に介在配置される。吸収体４は、図２及び図３に示すように、表面シート２及び裏面シート３１よりも幅が狭く、かつ、長さの短い矩形形状に構成される。吸収体４は、図２及び図３に示すように、平面視において、表面シート２及び裏面シート３１の幅方向の略中央部に、長手方向の一端側から他端側に亘って配置される。吸収体４としては、フラッフ状パルプ及び高吸収ポリマーを、ティッシュ等のコアラップ材により被覆したものを用いることができる。
吸収体４に用いられるフラッフ状パルプとしては、例えば、化学パルプ、セルロース繊維、レーヨン、アセテート等の人工セルロース繊維が挙げられる。高吸収ポリマーとしては、デンプン系、アクリル酸系、アミノ酸系の粒子状又は繊維状のポリマーが挙げられる。
【００２３】
一対のサイドシート５１，５２は、図２に示すように、細長い矩形形状に構成され、表面シート２の長手方向に沿う側部の身体側にそれぞれ配置される。一対のサイドシート５１，５２の長さは、表面シート２及び裏面シート３１の長さと略等しく構成される。一対のサイドシート５１，５２の外側縁は、図４〜図６に示すように、裏面シート３１の側縁の位置と一致している。一対のサイドシート５１，５２の外側縁側は、裏面シート３１の側部に接合されている。
【００２４】
一対のサイドシート５１，５２の内側縁の一部は、図１及び図５に示すように、自由端となっている。より具体的には、一対のサイドシート５１，５２は、ペット用吸収性物品１をペットに装着する場合に、ペットの身体の前側に配置される前側サイドシート５１と、ペットの身体の後側に配置される後側サイドシート５２と、を備える。
【００２５】
前側サイドシート５１の内側縁は、図４及び図６に示すように、ペット用吸収性物品１の長手方向ＬＤの一端側に位置する第１端部１１近傍、及び他端側に位置する第２端部１２近傍において、表面シート２に接合されている。そして、前側サイドシート５１の内側縁は、図４に示すように、前側サイドシート５１における長手方向ＬＤの一端部及び他端部を除く部分において、自由端となっている。
後側サイドシート５２の内側縁は、図４〜図６に示すように、ペット用吸収性物品１の長手方向ＬＤの全長に亘って自由端となっている。
【００２６】
サイドシート５１，５２としては、撥水性又は疎水性を有するものが好ましく用いられ、具体的には、スパンレース不織布、スパンボンド不織布、サーマルボンド不織布、メルトブローン不織布、ニードルパンチ不織布、エアスルー不織布等の各種不織布を用いることができる。不織布を構成する素材繊維としてはポリエチレン又はポリプロピレン等のオレフィン系、ポリエステル系、ポリアミド系等の合成繊維の他、レーヨンやキュプラ等の再生繊維、綿等の天然繊維を用いることができる。
【００２７】
第１弾性部材６１は、図１〜図３に示すように、前側サイドシート５１及び後側サイドシート５２それぞれの内側縁近傍に配置される。より具体的には、第１弾性部材６１は、図５に示すように、内側縁側で折り返されたサイドシートの間に挟まれると共に、ホットメルト接着剤により伸長状態でサイドシートに固定される。第１弾性部材６１は、図２及び図３に示すように、伸長状態において、吸収体４の長手方向の長さよりも長い長さで前側サイドシート５１及び後側サイドシート５２に配置される。
【００２８】
第２弾性部材６２は、図１〜図３に示すように、ペット用吸収性物品１の長手方向ＬＤに沿う一対の側部それぞれに配置される。より具体的には、第２弾性部材６２は、図５に示すように、前側サイドシート５１と裏面シート３１との間、及び後側サイドシート５２と裏面シート３１との間にそれぞれ配置される。また、第２弾性部材６２は、伸長状態で、ホットメルト接着剤により、サイドシート５１，５２及び裏面シート３１に固定される。
第２弾性部材６２は、伸長状態において、吸収体４の長手方向の長さよりも長い長さでペット用吸収性物品１の長手方向ＬＤに沿う一対の側部それぞれに配置される。
【００２９】
第１弾性部材６１及び第２弾性部材６２としては、細長く、伸び縮みする材料であればよく、天然ゴムからなる糸状ゴム、平ゴム等や、ウレタン、エチレン−酢酸ビニル共重合体（ＥＶＡ）、ＰＥ等の熱可塑性エラストマーを用いることができる。更に具体的には、熱可塑性エラストマーとしては、ポリブタジエン、ポリイソプレン、スチレン−ブタジエン共重合体、スチレン−イソプレン共重合体、ポリウレタン、エチレン−酢酸ビニル共重合体、エチレン−αオレフィン共重合体等を糸状に成形するか又はフィルムに成型し細幅にスリットしたものが挙げられる。
【００３０】
フックテープ７は、図１〜図３に示すように、第１端部１１の外面（裏面層３側の面）に配置される。フックテープ７は、矩形形状に構成され、フックテープ７の長手方向がペット用吸収性物品１の幅方向ＷＤに沿うように配置される。また、フックテープ７は、第１端部１１の側縁から所定の距離Ｌ１内側に離間した位置に取り付けられる。
フックテープ７は、図４に示すように、矩形形状の基部７１と、この基部７１の一方の面に設けられる複数のフック部７２と、を備える。フックテープ７は、複数のフック部７２が形成された面が外面となるように、裏面シート３１に取り付けられる。
【００３１】
フックテープ７は、ポリプロピレン等の合成樹脂材により基部７１及び複数のフック部７２が一体的に形成される。フックテープ７は、後述する折線部８を好適に形成する観点から、所定の厚さ及び所定の曲げ剛性を有することが好ましい。フックテープ７を長手方向（ペット用吸収性物品１の幅方向ＷＤ）に曲げる場合の曲げ剛性は、Ｌ  １０８４（フロック加工生地試験方法）に規定されている剛軟度Ａ法（４５度カンチレバー法）により測定した剛軟度が６０ｍｍ〜２００ｍｍであることが好ましい。
【００３２】
フックテープ７のペット用吸収性物品１の幅方向ＷＤに沿う方向の長さＷ１は、吸収体４の幅方向の長さＷ２よりも長く構成される。
また、第１端部１１の端縁からフックテープ７の側縁までの距離Ｌ１は、好ましくは５ｍｍ〜５０ｍｍ、より好ましくは１０ｍｍ〜３０ｍｍである。
第１端部１１の端縁からフックテープ７の側縁までの距離Ｌ１が５ｍｍ未満であると、ペット用吸収性物品１をペットに装着した場合に、ペットの体毛がフックテープ７に挟まってしまうおそれがある。
第１端部１１の端縁からフックテープ７の側縁までの距離Ｌ１が５０ｍｍを超えてしまうと、後述のポケット部１４，１５の長さを十分に確保できない場合がある。また、ペット用吸収性物品１の有効最大長（第２端部１２からフックテープ７までの長さ）が短くなり、ペット用吸収性物品１をペットに装着する場合における長さ方向の調整範囲が狭くなってしまう場合がある。
【００３３】
一対の折線部８は、フックテープ７の長手方向の一端側及び他端側に、ペット用吸収性物品１の長手方向ＬＤに延びて形成される。一対の折線部８は、フックテープ７に折り癖をつけることで形成され、フックテープ７の長手方向の一端及び他端が表面シート２側に屈曲する起点となる。即ち、ペット用吸収性物品１を、裏面層３側を下面となるように配置した場合には、第１端部１１では、図４に示すように、ペット用吸収性物品１の幅方向ＷＤの両端側は、一対の折線部８において屈曲し、表面シート２側に立ち上がっている。
一対の折線部８間の長さは、図２に示すように、吸収体４の幅Ｗ３と同じか、吸収体４の幅Ｗ３よりも広く構成される。
【００３４】
以上のペット用吸収性物品１は、第１弾性部材６１がペット用吸収性物品１の長手方向ＬＤに沿って伸長状態で前側サイドシート５１及び後側サイドシート５２に固定されている。また、第２弾性部材６２がペット用吸収性物品１の長手方向ＬＤに沿って伸長状態でサイドシート５１，５２と裏面シート３１との間に固定されている。
そのため、ペット用吸収性物品１は、自然状態（外力を付加しない状態）では、第１弾性部材６１及び第２弾性部材６２が収縮して、図１に示すように、表面シート２側が内面を構成するように第１端部１１と第２端部１２とが近づいた立体的な形状となる。これにより、ペット用吸収性物品１の長手方向ＬＤに沿う一対の側部に、長手方向ＬＤに伸縮可能な一対の胴回りギャザー部１３が形成される（図１参照）。また、前側サイドシート５１及び後側サイドシート５２における自由端側が立ち上がり、前側サイドシート５１の内面と表面シート２の外面との間、及び後側サイドシート５２の内面と表面シート２の外面との間に、それぞれ、ポケット部１４，１５が形成される（図４参照）。
【００３５】
次に、第１実施形態のペット用吸収性物品１をペットに取り付ける手順について、図６〜図８を参照しながら説明する。図７〜図９は、第１実施形態のペット用吸収性物品１をペットに装着する過程を示す図であり、図７は、第１端部１１をペットの背中に位置させた状態を示す図であり、図８は、ペット用吸収性物品をペットの胴回りに装着した状態を示す図である。図９は、図７に示す状態を、ペットの側部から視た図である。
【００３６】
まず、図７に示すように、ペット用吸収性物品１の第１端部１１をペットの背中に位置させて、この第１端部１１の近傍を装着者の片方の手で押さえる。次いで、第１端部１１の近傍を片方の手で押さえたまま、ペット用吸収性物品１の第２端部１２を他方の手で持って、ペット用吸収性物品１をペットの腹側を覆うように巻きつける。
【００３７】
次いで、ペット用吸収性物品１の第２端部１２を引っ張って、一対の胴回りギャザー部１３をペットの胴回りと密着させる。
次いで、図９に示すように、ペット用吸収性物品の第２端部１２の内面（表面シート２側の面）を第１端部１１の外面（裏面シート３１側の面）に配置されたフックテープ７に係合させる。これにより、ペット用吸収性物品１がペットの胴回りに巻きつけられる。
【００３８】
ここで、第１実施形態では、第１端部１１に配置されたフックテープ７に、一対の折線部８が形成されている。そして、第１端部１１におけるペット用吸収性物品１の幅方向ＷＤの両端側は、表面シート２側に屈曲している。これにより、ペット用吸収性物品１の第１端部１１をペットの背中に位置させた状態では、図７及び図９に示すように、ペットの背中とペット用吸収性物品１の表面シート２側の面との間には、隙間が形成される（図７及び図９の矢印参照）。また、一対の折線部８が形成されるフックテープ７は、所定の曲げ剛性を有している。これにより、ペット用吸収性物品１を装着する場合に、ペット用吸収性物品１の第１端部１１をペットの背中に位置させた状態から第２端部１２を引っ張った場合でも、ペットの背中とペット用吸収性物品１の表面シート２側の面との間に形成された隙間は保たれる。
また、フックテープ７に第２端部１２の内面（表面シート２側の面）が係合されて、ペット用吸収性物品１がペットに装着されると、フックテープ７は、第２端部１２に押圧されて、ペットの身体に沿うように変形する。これにより、ペットの背中とペット用吸収性物品１の表面シート２側の面との間に形成された隙間はなくなり、好適に装着される。
【００３９】
以上説明した第１実施形態のペット用吸収性物品１によれば、以下のような効果を奏する。
【００４０】
（１）第１端部１１の裏面シート３１側に、ペット用吸収性物品１の幅方向ＷＤに延びるように矩形形状のフックテープ７を配置し、このフックテープ７に一対の折線部８を形成した。これにより、一対の折線部８を曲げ起点として、第１端部１１におけるペット用吸収性物品１の幅方向ＷＤの両端側を、表面シート２側に屈曲させられるので、ペット用吸収性物品１の第１端部１１をペットの背中に位置させた状態において、ペットの背中とペット用吸収性物品１の表面シート２側の面との間に、隙間を形成できる。よって、第１端部１１をペットの背中に沿わせるように片方の手で押さえている状態で、ペットが動いても、ペットの体毛をフックテープ７にからみつきにくくできるので、ペット用吸収性物品１の装着時に、ペットの体毛をフックテープにからみつきにくくできる。
【００４１】
（２）ペット用吸収性物品１の長手方向ＬＤに沿う側部に、第１弾性部材６１及び第２弾性部材６２を配置し、自然状態において、ペット用吸収性物品１を、長手方向に収縮した形状となるように構成した。そのため、ペット用吸収性物品１を引き伸ばした状態で好適にペットの胴回りに沿わせるために、第２端部１２を強く引っ張る必要がある。そこで、一対の折線部８を、所定の曲げ剛性を有するフックテープ７に形成した。これにより、ペット用吸収性物品１を装着する場合に、ペット用吸収性物品１の第１端部１１をペットの背中に位置させた状態から第２端部１２を強く引っ張った場合でも、第１端部１１の折線部８を起点として屈曲した形状を保てるので、ペットの背中とペット用吸収性物品１の表面シート２側の面との間に形成された隙間を保てる。よって、ペット用吸収性物品１の装着時に、ペットの体毛をフックテープ７に、よりからみつきにくくできる。
【００４２】
（３）一対の折線部８間の長さＷ２を、吸収体４の幅Ｗ３以上に構成した。これにより、ペットの背中とペット用吸収性物品１の表面シート２側の面との間に形成される隙間を、ペット用吸収性物品１の幅方向ＷＤに広く形成できる。よって、フックテープ７の広い範囲において、ペットの体毛がからみつくことを防げる。
【００４３】
（４）フックテープ７を、第１端部１１の端縁から所定距離Ｌ１内側に配置した。これにより、第１端部１１をペットの背中に位置させた状態において、ペットが動いた場合等に、ペットの体毛が第１端部１１の外面に覆いかぶさっても、このペットの体毛をフックテープ７にからみつきにくくできる。よって、ペット用吸収性物品１のペットへの装着性をより向上できる。
【００４４】
次に、本発明の第２実施形態に係るペット用吸収性物品１について、図１０Ａ及び図１０Ｂを参照しながら説明する。図１０Ａは、第２実施形態のペット用吸収性物品１を表面シート側から視た平面図であり、図１０Ｂは、図１０ＡのＤ−Ｄ線断面図である。
尚、第２実施形態以降の説明にあたって、同一構成要件については同一符号を付し、その説明を省略もしくは簡略化する。
【００４５】
第２実施形態のペット用吸収性物品１は、主として、一対の折線部８の構成において、第１実施形態と異なる。
第２実施形態では、図１０Ｂに示すように、第１端部１１に配置される矩形形状の基材９を備える。基材９は、ポリプロピレン等の合成樹脂材により板状に構成される。基材９は、第１端部１１の裏面シート３１の外面に配置される。そして、この基材９の外面にフックテープ７が配置される。
【００４６】
基材９は、折線部８を好適に形成する観点から、所定の厚さ及び所定の曲げ剛性を有することが好ましい。基材９を長手方向（ペット用吸収性物品１の幅方向ＷＤ）に曲げる場合の曲げ剛性は、Ｌ  １０８４（フロック加工生地試験方法）に規定されている剛軟度Ａ法（４５度カンチレバー法）により測定した剛軟度が６０ｍｍ〜２００ｍｍであることが好ましい。
基材９のペット用吸収性物品１の幅方向ＷＤに沿う方向の長さは、吸収体４の幅方向の長さよりも長く構成される。
【００４７】
第２実施形態では、一対の折線部８は、基材９に形成される。一対の折線部８間の長さは、図１０Ａに示すように、吸収体４の幅と同じか、吸収体４の幅よりも広く構成される。
【００４８】
第２実施形態のペット用吸収性物品１によれば、上述した（３）及び（４）の作用効果の他、以下のような作用効果を奏する。
【００４９】
（５）第１端部１１の裏面シート３１側に、基材９を配置し、この基材９に一対の折線部８を形成した。これにより、一対の折線部８を曲げ起点として、第１端部１１におけるペット用吸収性物品１の幅方向ＷＤの両端側を、表面シート２側に屈曲させられるので、ペット用吸収性物品１の第１端部１１をペットの背中に位置させた状態において、ペットの背中とペット用吸収性物品１の表面シート２側の面との間に、隙間を形成できる。よって、第１端部１１をペットの背中に沿わせるように片方の手で押さえている状態で、ペットが動いても、ペットの体毛をフックテープ７にからみつきにくくできるので、ペット用吸収性物品１の装着時に、ペットの体毛をフックテープにからみつきにくくできる。
【００５０】
（６）ペット用吸収性物品１の長手方向ＬＤに沿う側部に、第１弾性部材６１及び第２弾性部材６２を配置し、自然状態において、ペット用吸収性物品１を、長手方向に収縮した形状となるように構成した。そのため、ペット用吸収性物品１を引き伸ばした状態で好適にペットの胴回りに沿わせるために、第２端部１２を強く引っ張る必要がある。そこで、一対の折線部８を、所定の曲げ剛性を有する基材９に形成した。これにより、ペット用吸収性物品１を装着する場合に、ペット用吸収性物品１の第１端部１１をペットの背中に位置させた状態から第２端部１２を強く引っ張った場合でも、第１端部１１の折線部８を起点として屈曲した形状を保てるので、ペットの背中とペット用吸収性物品１の表面シート２側の面との間に形成された隙間を保てる。よって、ペット用吸収性物品１の装着時に、ペットの体毛をフックテープ７に、よりからみつきにくくできる。
【００５１】
次に、本発明の第３実施形態に係るペット用吸収性物品１について、図１１Ａ及び図１１Ｂを参照しながら説明する。図１１Ａは、第２実施形態のペット用吸収性物品１を表面シート側から視た平面図であり、図１１Ｂは、図１１ＡのＥ−Ｅ線断面図である。
【００５２】
第３実施形態のペット用吸収性物品１は、主として、一対の折線部８が吸収体４に形成されている点で、第１実施形態と異なる。
第３実施形態では、図１１Ａに示すように、吸収体４が第１端部１１の端縁近傍まで延びて配置されている。そして、一対の折線部８は、この吸収体４に折り癖をつけることで形成されている。
第３実施形態では、フックテープ７のペット用吸収性物品１の幅方向ＷＤに沿う方向の長さは、吸収体４の幅よりも短く構成されている。そして、フックテープ７には、折線部８は形成されていない。
【００５３】
第３実施形態のペット用吸収性物品１によれば、上述した（４）の作用効果を奏する他、以下のような効果を奏する。
【００５４】
（７）吸収体４を第１端部１１の端縁近傍まで延ばして配置し、この吸収体４に一対の折線部８を形成した。これにより、一対の折線部８を曲げ起点として、第１端部１１におけるペット用吸収性物品１の幅方向ＷＤの両端側を、表面シート２側に屈曲させられるので、ペット用吸収性物品１の第１端部１１をペットの背中に位置させた状態において、ペットの背中とペット用吸収性物品１の表面シート２側の面との間に、隙間を形成できる。よって、第１端部１１をペットの背中に沿わせるように片方の手で押さえている状態で、ペットが動いても、ペットの体毛をフックテープ７にからみつきにくくできるので、ペット用吸収性物品１の装着時に、ペットの体毛をフックテープにからみつきにくくできる。
【００５５】
（８）ペット用吸収性物品１の長手方向ＬＤに沿う側部に、第１弾性部材６１及び第２弾性部材６２を配置し、自然状態において、ペット用吸収性物品１を、長手方向に収縮した形状となるように構成した。そのため、ペット用吸収性物品１を引き伸ばした状態で好適にペットの胴回りに沿わせるために、第２端部１２を強く引っ張る必要がある。そこで、一対の折線部８を、厚さが厚く構成され曲げ剛性の大きい吸収体４に形成した。これにより、ペット用吸収性物品１を装着する場合に、ペット用吸収性物品１の第１端部１１をペットの背中に位置させた状態から第２端部１２を強く引っ張った場合でも、第１端部１１の折線部８を起点として屈曲した形状を保てるので、ペットの背中とペット用吸収性物品１の表面シート２側の面との間に形成された隙間を保てる。よって、ペット用吸収性物品１の装着時に、ペットの体毛をフックテープ７に、よりからみつきにくくできる。
【００５６】
以上、本発明の好ましい各実施形態について説明したが、本発明は、上述した各実施形態に制限されるものではなく、適宜変更が可能である。
例えば、第１実施形態では、第１端部１１の外面にフックテープ７を配置し、このフックテープ７に一対の折線部８を形成したが、これに限らない。即ち、所定の曲げ剛性を有するシート状の基部の一方の面に粘着剤が塗布された粘着テープを第１端部の外面に配置し、この粘着テープに一対の折線部を形成してもよい。尚、この場合、第２端部の内面を、フック部に係合不能なフィルム材により構成してもよい。
【００５７】
また、上述した各実施形態では、前側サイドシート５１の長手方向ＬＤの一端部及び他端部の内側縁を表面シート２に接合し、後側サイドシート５２の内側縁は、表面シート２に接合しなかったが、これに限らない。即ち、前側サイドシート及び後側サイドシートの長手方向ＬＤの一端部及び他端部の内側縁を、いずれも表面シートに接合してもよい。
【００５８】
また、上述した各実施形態では、裏面層３を、裏面シート３１及び防水シート３２の２層により構成したが、これに限らない。即ち、裏面層を、裏面シート又は防水シートのみにより構成してもよい。
【符号の説明】
【００５９】
１  ペット用吸収性物品
２  表面シート（表面層）
３  裏面層
４  吸収体
７  フックテープ（係止部材）
８  折線部
９  基材
１１  第１端部
１２  第２端部
１４  ポケット部
１５  ポケット部
１７  側部
５１  前側サイドシート（サイドシート）
５２  後側サイドシート（サイドシート）
６１  第１弾性部材（弾性部材）
６２  第２弾性部材（弾性部材）
【図１】
0005650575.tif 000002
【図２】
0005650575.tif 000003
【図３】
0005650575.tif 000004
【図４】
0005650575.tif 000005
【図５】
0005650575.tif 000006
【図６】
0005650575.tif 000007
【図７】
0005650575.tif 000008
【図８】
0005650575.tif 000009
【図９】
0005650575.tif 000010
【図１０Ａ】
0005650575.tif 000011
【図１０Ｂ】
0005650575.tif 000012
【図１１Ａ】
0005650575.tif 000013
【図１１Ｂ】
0005650575.tif 000014